(57)【要約】【課題】自転車の車体に立設した伸縮ロッドに、中棒を支持し、中棒頂部より側方への親骨及び傘布の展開幅を必要最小限に設定し、前輪上位より後輪上位側へ必要且つ充分な展開長を設定して縦長状多角形の傘布を張設してなり、使用後に傘を折畳み、伸縮ロッドを縮小し、前籠内へ傾倒して収納可能とする自転車用傘を提供しようとするものである。【解決手段】  自転車の車体前部に持設した支持具に立設した伸縮ロッド頂部に継手により中棒の基部を締結し、頂部の上ろくろより、車体側方へ短径骨組を展開し、必要且つ最小限の展開幅を設定し、前輪上位へ短径骨組と、後輪上位側へ長径骨組とにより、必要且つ充分な展開長を設定し、各骨組間に、縦長状多角形の傘布を張設してなり、収納時に、各骨組及び傘布を折り畳み、中棒周りに傘布を巻き締め、伸縮ロッドを縮小し、継手の締結を緩め、車体前部の前籠内へ傾倒して収納可能としている。【選択図】図２
0003133608.tif 000002
【実用新案登録請求の範囲】
【請求項１】
自転車の車体前部に持設した支持具（１ａ）に立設した伸縮ロッド（１）の頂部に、継手（２ｃ）により中棒（２）を締結して支持し、該中棒頂位の上ろくろ（２ａ）より車体側方へ、短径骨組（３ａ）を展開可能として展開幅（Ｗ）を必要最小限に設定し、同ろくろより前輪（１２）上位への短径骨組（３ａ）と、後輪（１３）上位への長径骨組（３ｂ）とを展開可能として必要且つ充分な展開長（Ｌ）を設定し、各骨組間の小間に、展開幅（Ｗ）及び展開長（Ｌ）相等の縦長状多角形に傘布（４）を張設してなり、収納時に、各骨組を折り畳み、中棒（２）周りに傘布（４）を巻き締め、伸縮ロッド（１）を縮小し、継手（２ｃ）の締結を緩め、車体前部の前籠（１４）内へ傾倒して収納可能とすることを特徴とする自転車用傘。
【考案の詳細な説明】
【技術分野】
【０００１】  本考案は、自転車に装着する傘に関するものである。
【背景技術】
【０００２】  従来、通常の洋傘を、自転車のハンドルに持着するための支持具が一般に普及している。
【考案の開示】
【考案が解決しようとする課題】
【０００３】  従来、自転車のハンドル又は車体に持設した支持具に、通常の洋傘を装着して使用するものは、傘を車体前寄りに支持し、前方への傘布展開長及び側方への展開幅が過大傾向となり、後方への展開長は不足傾向になっている。  そして、同展開幅が過大傾向であるため、狭隘な通路や障害物又は通行者へ近接して走行するとき、接触事故や、傘を破損する虞があり、また、後方への展開長が不足傾向であるため、運転者の背部が雨滴に濡れる傾向があり、なお、傘使用の前後の取り付け・外しに手間を要する問題がある。【０００４】  本考案は、従来の技術におけるこのような問題点に鑑みてなされものであり、その目的とするところは、自転車の車体に立設した伸縮ロッドに、中棒を支持し、中棒頂部より側方への親骨及び傘布の展開幅を必要最小限に設定し、前輪上位より後輪上位側へ必要且つ充分な展開長を設定して縦長状多角形の傘布を張設してなり、使用後に傘を折畳み、伸縮ロッドを縮小し、前籠内へ傾倒して収納可能とする自転車用傘を提供しようとするものである。
【課題を解決するための手段】
【０００５】  上記目的を達成するために、本考案の自転車用傘は、自転車の車体前部に持設した支持具に立設した伸縮ロッドの頂部に、継手により中棒を締結して支持し、該中棒頂位の上ろくろより車体側方へ、短径骨組を展開可能として必要最小限の展開幅を設定し、同ろくろより前輪上位への短径骨組及び後輪上位への長径骨組を展開可能として必要且つ充分な展開長を設定し、各骨組間の小間に、展開幅及び展開長相等の縦長状多角形の傘布を張設してなり、収納時に、各骨組を折り畳み、中棒周りに傘布を巻き締め、伸縮ロッドを縮小し、継手の締結を緩め、車体前部の前籠内へ傾倒して収納可能とすることとしている。【０００６】  上記の課題解決手段による作用は次の通りである。  すなわち、伸縮ロッドを伸長し、頂部の継手により伸縮型の中棒を締結して縦立し、中棒頂位の上ろくろより展開する全骨組及び傘布は、自転車体の側方へ必要最小限に展開幅を設定し、後輪上位側方へ必要且十分な展開長を確保して、縦長状多角形に展開可能であって、自転車運転状態に応じて傘布展開面の傾角を継手により締結して設定し、通常の自転車運転状態において運転者へ降りかかる雨滴を最小限に留めると共に、側方への展開幅を最小限に制限しているため、狭隘な通路や障害物又は通行者に接近して走行するとき、接触事故及び傘の破損を防止すると共に、傘布の前面への展開形状は、前方へ尖り、幅員を狭く制限しているため、走行に伴う傘布前面の空気抵抗を低減しており、安全且つ快適な走行を可能とし、また、使用後に、傘骨組を折り畳み、傘布を中棒に巻き締め、伸縮ロッドを縮小し、継手の締結を解放し、車体前部の前籠内へ傾倒して収納することとしている。
【考案の効果】
【０００７】  請求項１の自転車用傘は、自転車の車体前部に中棒を支持し、傘布は、側方への展開幅を必要最小限に、また、後輪上位側へ必要且つ十分な展開長に、それぞれ設定して縦長状多角形状に展開しており、通常の自転車運転状態において運転者へ降りかかる雨滴を最小限に留めることができる。【０００８】  そして、縦長状多角形状に展開する傘布は、自転車の車体幅を覆う必要最小限の展開幅を設定しており、狭隘な通路や障害物又は通行者に接近して走行するとき、接触事故及び傘の破損を防止し、また、傘の骨組み及び布の展開形状は、前方へ尖り、幅員を狭く制限しているため、走行に伴う傘布前面の空気抵抗を低減し、また、狭隘な通路や障害物又は通行者へ近接して走行するとき、接触事故や、傘を破損することなく、安全且つ快適な走行ができる。【０００９】  また、傘使用後に各骨組と傘布とを折り畳み、傘布を中棒に巻き締め、伸縮ロッドを縮小し、継手の締結を緩め、車体前部の前籠へ傾倒して収納し、つぎに使用するときは、上記収納の手順と逆に、前籠より折り畳んだ傘を引き起こし伸縮ロッドを伸ばし、継手により中棒を縦立して締結し、容易に各骨組と傘布とを展開することができて、傘使用の準備・収納に手間を要しない利点がある。
【考案を実施するための最良の形態】
【００１０】  考案の実施の形態を実施例にもとづき図面を参照して次に説明する。
【実施例１】
【００１１】  図１及び図２において、自転車のハンドルコラム１１に持設した支持具１ａに伸縮ロッド１を立設し、該ロッドの頂部に、中棒２を継手２ｃのノブ２ｄにより締結し、該中棒頂位の上ろくろ２ａより露先３ｃへ放射状に展開する骨組において、側方への展開幅Ｗを必要最小限に設定して２段折り畳み型（通称ホック型）の短径骨組３ａを適用し、また、前輪１２上位へ短径骨組３ａを展開すると共に、後輪１３上位側へ、必要且つ十分な展開長Ｌを設定して３段折り畳み型（通称トップレス型）の長径骨組３ｂを適用し、各骨組間の小間に、展開幅Ｗ及び展開全長Ｌ相等の縦長多角形状の傘布４を張設してなる自転車用傘を提示し、図３は、図１のＡ矢（正面）より視る、継手２ｃ部より上位の折り畳み傘部分の展開形状の立面図を示している。【００１２】  図４は、通常の洋傘に適用される２段折り畳み型（通称ホック型）の短径骨組３ａと、３段折り畳み型（通称トップレス型）の長径骨組３ｂとを併用し、展開途中の形状を示している。  そして、短径骨組３ａは、上ろくろ２ａより展開する元親骨３１、先親骨３２より露先３ｃ及び下ろくろ２ｂより元親骨３１を支持する受骨３４により構成し、また、長径骨組３ｂは上ろくろ２ａより展開する補助骨３３、下ろくろ２ｂより展開する受骨３４に支持される元親骨３１と先親骨３２とを同時に折り畳み操作するため、補助骨３３と元親骨３１との間、ならびに受骨３４と先親骨３２との間にそれぞれ引線３５，３５を連係してリンク機構を構成している。  なお、図２において、５本骨組のものを例示したが、意匠計画に応じて、５〜８本骨組に設定してもよく、傘布も透明・不透明の各種シートを適用することとしている。【００１３】  実施例１における作用として、上記自転車のハンドルコラム１１に持設した支持具１ａに伸縮ロッド１の基部を支持し、該ロッドの伸長位頂部に継手２ｃにより締結した中棒２頂位の上ろくろ２ａより展開する各骨組及び傘布４は、車体幅を覆う必要且つ最小限の展開幅Ｗ及び前輪１２上位より後輪１３上位側への必要且つ充分な展開長Ｌを設定した縦長状多角形に展開しており、通常の自転車走行状態において、運転者上位を覆い、降りかかる雨滴を最小限に留め、また、傘布の展開幅Ｗを必要最小限に留めており、狭隘な通路や障害物又は通行者に接近して走行するとき、接触事故及び傘の破損を防止し、また、傘布の前輪上方への凸状展開部分により、走行に伴う傘布前面の空気抵抗を低減して安全に運転を行うこととしており、使用後に、自転車用傘を収納するとき、図５に示すように、短径骨組３ａ及び長径骨組３ｂの各骨組と傘布とを折り畳み、中棒２周りに傘布４を巻き付けて纏め、伸縮ロッド１を縮小し、継手２ｃのノブ２ｄによる締結を解除し、前輪１２上位の前籠１４内へ傾倒し、収納可能としている。
【実施例２】
【００１４】  図６に示す実施例は、上記支持具１ａを、ハンドルコラム１１に持設する代わりに、同コラム下位の車体１０に、屈曲状の鈎形支持具１ｂを持設して伸縮ロッド１の基部を支持し、以下、実施例１と同様に、同ロッドの頂部に、中棒２を継手２ｃのノブ２ｄにより締結し、該中棒頂位の上ろくろ２ａより露先３ｃへ放射状に展開する骨組において、自転車の前輪上方への展開長及び側方への展開幅を最小限に設定して２段折り畳み型の短径骨組３ａを適用すると共に、後輪上位側へ必要且つ十分な展開長を設定して３段折り畳み型の長径骨組３ｂを適用し、各骨組み間の小間に、縦長状多角形の傘布４張設してなる自転車用傘を提示している。
【図面の簡単な説明】
【００１５】
【図１】  自転車に装着した、本考案の自転車用傘側面の立面図である。（実施例１）
【図２】  図１の平面図である。
【図３】  図１のＡ矢（正面）から視る傘部分の展開形状を示す立面図である。
【図４】  本考案の自転車用傘の骨組み機構の展開中途における状態を示す模式図である。
【図５】  本考案の自転車用傘の収納状態を示す側面の立面図である。
【図６】  本考案の自転車用傘の他の実施例立面図である。（実施例２）
【符号の説明】
【００１６】１    伸縮ロッド
１ａ  支持具
１ｂ  鈎形支持具
２    中棒
２ａ  上ろくろ
２ｂ  下ろくろ
２ｃ  手元継手
２ｄ  ノブ
２ｅ  石突き
３ａ  短径骨組
３ｂ  長径骨組
３ｃ  露先
４    傘布
３１  元親骨
３２  先親骨
３３  補助骨
３４  受骨
３５  引線
１０  車体
１１  ハンドルコラム
１２  前輪
１３  後輪
１４  前籠
Ｌ    傘布展開長
Ｗ    傘布展開幅
ｍ    運転者
【図１】
0003133608.tif 000003
【図２】
0003133608.tif 000004
【図３】
0003133608.tif 000005
【図４】
0003133608.tif 000006
【図５】
0003133608.tif 000007
【図６】
0003133608.tif 000008